(57)【要約】【課題】  ディスク状記録媒体のクリーニングを容易かつディスク状記録媒体の傷付きを生じることなく行うようにする。【解決手段】  ディスクカートリッジ１００のケース体１０１の一方の面にテーブル挿入孔１０１ｅを覆う状態で装着され、装着された状態において上記一方の面に接するベース部５とテーブル挿入孔に挿入される挿入部６とを有する装着ベース２と、該装着ベースに回転可能に支持された回転軸４と、該回転軸に設けられ装着ベースが上記一方の面に装着されたときにディスク状記録媒体のコア２０１を吸着するマグネット１１と、装着ベースから回転軸の軸方向に直交する方向へ突出されたクリーナー取付部３と、該クリーナー取付部に取り付けられディスク状記録媒体と接して該ディスク状記録媒体をクリーニングするクリーナー１２とを設け、マグネットによってコアが吸着された状態においてディスク状記録媒体をケース体に接触しない位置に保持するようにした。【選択図】図９
2006172674.tif 000002
【特許請求の範囲】
【請求項１】
中心部に磁性金属材料によって形成されたコアを有するディスク状記録媒体がケース体内に回転自在に支持されて成り、ケース体の一方の面にディスクテーブルが挿入されるテーブル挿入孔とレーザー光が透過される光透過孔とが形成されたディスクカートリッジのディスク状記録媒体をクリーニングするディスククリーニング装置であって、
ケース体の上記一方の面にテーブル挿入孔を覆う状態で装着され、装着された状態において上記一方の面に接するベース部とテーブル挿入孔に挿入される挿入部とを有する装着ベースと、
該装着ベースに回転可能に支持された回転軸と、
該回転軸に設けられ装着ベースが上記一方の面に装着されたときにディスク状記録媒体のコアを吸着するマグネットと、
装着ベースから回転軸の軸方向に直交する方向へ突出されたクリーナー取付部と、
該クリーナー取付部に取り付けられディスク状記録媒体と接して該ディスク状記録媒体をクリーニングするクリーナーとを備え、
マグネットによってコアが吸着された状態においてディスク状記録媒体がケース体に接触しない位置に保持されるようにした
ことを特徴とするディスククリーニング装置。
【請求項２】
上記装着ベースの挿入部の外形を円形状に形成し、該挿入部の外径をケース体のテーブル挿入孔の径より僅かに小さく形成した
ことを特徴とする請求項１に記載のディスククリーニング装置。
【請求項３】
上記クリーナー取付部をケース体の上記一方の面に接する接触部と該接触部から突出されディスクカートリッジの光透過孔へ挿入されクリーナーを保持する保持部とによって構成し、
装着ベースからのクリーナー取付部の突出方向に直交する方向における保持部の幅を、該保持部が挿入されたときの光透過孔の同じ方向における幅より僅かに小さくした
ことを特徴とする請求項１に記載のディスククリーニング装置。
【発明の詳細な説明】
【技術分野】
【０００１】
本発明はディスククリーニング装置についての技術分野に関する。詳しくは、ディスク状記録媒体のクリーニングを容易かつディスク状記録媒体の傷付きを生じることなく行うようにする技術分野に関する。
【背景技術】
【０００２】
ケース体内にディスク状記録媒体が回転可能に収納されて成るディスクカートリッジがある（例えば、特許文献１参照）。
【０００３】
このようなディスクカートリッジには、通常、ディスク状記録媒体に対して照射されるレーザー光を入射させるための光透過孔が形成されている。
【０００４】
光透過孔はレーザー光を入射させるために必要ではあるが、この光透過孔からケース体の内部に塵埃等が侵入してしまうという不都合がある。ケース体の内部に塵埃等が侵入すると、ディスク状記録媒体の記録面に塵埃等が付着してディスク状記録媒体に対する情報信号の記録動作又は再生動作に悪影響を及ぼしてしまう。
【０００５】
ディスクカートリッジによっては、光透過孔を開閉するシャッターがケース体にスライド自在に支持されて塵埃の侵入が防止されているものがあるが、情報信号の記録再生時にはシャッターが開放されるため、このときの塵埃の侵入を防止することはできない。
【０００６】
また、ディスクカートリッジの種類によってはシャッターを有しないものもあり、このようなディスクカートリッジにおいては、特に、ケース体の内部への塵埃の侵入量が多くなってしまう。
【０００７】
このような不都合を防止するために、例えば、布製や紙製のクリーナーによってディスク状記録媒体に付着した塵埃を拭き取ることが行われている。
【０００８】
【特許文献１】特開２００１−１７６２２２号公報
【発明の開示】
【発明が解決しようとする課題】
【０００９】
上記のように、布製や紙製のクリーナーによるディスク状記録媒体に付着した塵埃の拭き取りは、光透過孔にクリーナーと指を挿入してディスク状記録媒体を回転させながら行う必要がある。
【００１０】
ところが、光透過孔にクリーナーと指を挿入してディスク状記録媒体を回転させたときには、指からの圧力がディスク状記録媒体に付与されるため、ディスク状記録媒体がケース体の内面に接した状態で回転され、ディスク状記録媒体が傷付いてしまうおそれがある。
【００１１】
また、クリーナーと指の双方を光透過孔に挿入してクリーニング作業を行わなければならず、作業性が悪いと共に拭き取りムラも生じるという問題もある。
【００１２】
そこで、本発明ディスククリーニング装置は、上記した問題点を克服し、ディスク状記録媒体のクリーニングを容易かつディスク状記録媒体の傷付きを生じることなく行うようにすることを課題とする。
【課題を解決するための手段】
【００１３】
本発明ディスククリーニング装置は、上記した課題を解決するために、ディスクカートリッジのケース体の一方の面にテーブル挿入孔を覆う状態で装着され、装着された状態において上記一方の面に接するベース部とテーブル挿入孔に挿入される挿入部とを有する装着ベースと、該装着ベースに回転可能に支持された回転軸と、該回転軸に設けられ装着ベースが上記一方の面に装着されたときにディスク状記録媒体のコアを吸着するマグネットと、装着ベースから回転軸の軸方向に直交する方向へ突出されたクリーナー取付部と、該クリーナー取付部に取り付けられディスク状記録媒体と接して該ディスク状記録媒体をクリーニングするクリーナーとを設け、マグネットによってコアが吸着された状態においてディスク状記録媒体をケース体に接触しない位置に保持するようにしたものである。
【００１４】
従って、本発明ディスククリーニング装置にあっては、ディスク状記録媒体がケース体と接触しない状態で回転軸の回転に伴って回転される。
【発明の効果】
【００１５】
本発明ディスククリーニング装置は、中心部に磁性金属材料によって形成されたコアを有するディスク状記録媒体がケース体内に回転自在に支持されて成り、ケース体の一方の面にディスクテーブルが挿入されるテーブル挿入孔とレーザー光が透過される光透過孔とが形成されたディスクカートリッジのディスク状記録媒体をクリーニングするディスククリーニング装置であって、ケース体の上記一方の面にテーブル挿入孔を覆う状態で装着され、装着された状態において上記一方の面に接するベース部とテーブル挿入孔に挿入される挿入部とを有する装着ベースと、該装着ベースに回転可能に支持された回転軸と、該回転軸に設けられ装着ベースが上記一方の面に装着されたときにディスク状記録媒体のコアを吸着するマグネットと、装着ベースから回転軸の軸方向に直交する方向へ突出されたクリーナー取付部と、該クリーナー取付部に取り付けられディスク状記録媒体と接して該ディスク状記録媒体をクリーニングするクリーナーとを備え、マグネットによってコアが吸着された状態においてディスク状記録媒体がケース体に接触しない位置に保持されるようにしたことを特徴とする。
【００１６】
従って、マグネットによってコアが吸着された状態においてディスク状記録媒体がケース体に接触しない位置に保持されるため、クリーニング作業時におけるディスク状記録媒体の傷付きを防止することができる。
【００１７】
また、ディスクカートリッジに装着し回転軸を回転させるだけでディスク状記録媒体のクリーニング作業を行うことができるため、クリーニング作業の容易化を図ることができる。
【００１８】
請求項２に記載した発明にあっては、上記装着ベースの挿入部の外形を円形状に形成し、該挿入部の外径をケース体のテーブル挿入孔の径より僅かに小さく形成したので、挿入部がテーブル挿入孔に挿入されることによりディスクカートリッジに対するディスク状記録媒体の半径方向における位置決めを容易に行うことができる。
【００１９】
請求項３に記載した発明にあっては、上記クリーナー取付部をケース体の上記一方の面に接する接触部と該接触部から突出されディスクカートリッジの光透過孔へ挿入されクリーナーを保持する保持部とによって構成し、装着ベースからのクリーナー取付部の突出方向に直交する方向における保持部の幅を、該保持部が挿入されたときの光透過孔の同じ方向における幅より僅かに小さくしたので、保持部が光透過孔に挿入されることにより光透過孔に対する位置決めを容易に行うことができ、クリーナーをディスク状記録媒体に容易に接触させることができる。
【発明を実施するための最良の形態】
【００２０】
先ず、ディスクカートリッジについて説明する（図１乃至図３参照）。
【００２１】
ディスクカートリッジ１００は扁平なケース体１０１内にディスク状記録媒体２００が回転可能に収納されて成る。
【００２２】
ケース体１０１はアッパーシェル１０２とロアーシェル１０３とが厚み方向において結合されて成る（図２及び図３参照）。ケース体１０１は図示しないディスクドライブ装置のホルダーに対する挿入方向（図２に示すＡ方向）における半部が略半円形状に形成され、その周面が円弧状に形成された円弧面１０１ａとして形成されている。ケース体１０１の上記挿入方向と反対方向であるホルダーからの排出方向（図２に示すＢ方向）における半部は横長の形状に形成され、円弧面１０１ａの両端に連続する面がそれぞれ挿入方向に延びる側面１０１ｂ、１０１ｃとして形成されている。側面１０１ｂと側面１０１ｃの上記排出方向における端部間の周面は、緩やかな凸曲面を為す曲面１０１ｄとして形成されている。
【００２３】
ケース体１０１には、図３に示すように、その下面の中央部にテーブル挿入孔１０１ｅが形成され、下面におけるテーブル挿入孔１０１ｅの側面１０１ｃ側の部分には図示しない光ピックアップの発光部から出射されるレーザー光を透過するための光透過孔１０１ｆが形成されている。
【００２４】
ケース体１０１の内部に収納されたディスク状記録媒体２００の中心部には、磁性金属材料から成るコア２０１が取り付けられ（図３参照）、該コア２０１はケース体１０１のテーブル挿入孔１０１ｅに対応して位置されている。
【００２５】
コア２０１は、図５に示すように、略円板状に形成された被吸着面部２０１ａと該被吸着面部２０１ａに対して厚み方向に離隔して位置されたフランジ面部２０１ｂとを有し、被吸着面部２０１ａの外周縁とフランジ面部２０１ｂの内周縁とが連結部２０１ｃによって連結されている。連結部２０１ｃは、被吸着面部２０１ａからフランジ面部２０１ｂに近付くに従って、外方へ変位するように傾斜されている。
【００２６】
ディスククリーニング装置１は装着ベース２とクリーナー取付部３と回転軸４とを有している（図４乃至図６参照）。
【００２７】
装着ベース２はベース部５と該ベース部５の下面から下方へ突出された挿入部６とから成り、例えば、ベース部５が挿入部６より厚みが厚く形成されている。挿入部６はベース部５の外周部を除く部分から突出され、ベース部５の下面のうち、挿入部６が設けられていない部分が基準面部５ａとして形成されている（図５及び図６参照）。
【００２８】
挿入部６はディスクカートリッジ１００のケース体１０１に形成されたテーブル挿入孔１０１ｅに対応して外形が円形状に形成され、外周面の下端部が下方へ行くに従って内側へ変位するように傾斜された被案内面部６ａとして形成されている（図７参照）。挿入部６の外周面のうち、被案内面部６ａとして形成されていない部分の外径（図７に示すＡ）は、ディスクカートリッジ１００のテーブル挿入孔１０１ｅの径（図７に示すＢ）より僅かに小さくされている。
【００２９】
クリーナー取付部３は装着ベース２から側方へ突出して設けられている。クリーナー取付部３は接触部７と該接触部７から下方へ突出された保持部８とから成り、例えば、接触部７が保持部８より厚みが厚く形成されている。保持部８は接触部７の互いに反対側に位置する両側縁部を除く部分から突出され、接触部７の下面のうち、保持部８が設けられていない部分が接触面部７ａ、７ａとして形成されている（図８参照）。
【００３０】
保持部８はディスクカートリッジ１００のケース体１０１に形成された光透過孔１０１ｆに対応して外形が略矩形状に形成され、接触部７の接触面部７ａ、７ａに沿う外周面の下端部が下方へ行くに従って内側へ変位するように傾斜された被ガイド面部８ａ、８ａとして形成されている。保持部８の外周面のうち、接触面部７ａ、７ａに連続する部分間の幅（図８に示すＣ）は、ディスクカートリッジ１００の光透過孔１０１ｆの対応する幅（図８に示すＤ）より僅かに小さくされている。
【００３１】
回転軸４は上下方向に延びるように設けられ、装着ベース２に回転自在に支持されている（図４乃至図７参照）。回転軸４は軸部９と該軸部９の下端部に設けられたフランジ部１０とから成る（図５及び図７参照）。
【００３２】
軸部９は下端部を除く部分が装着ベース２から上方へ突出され、この上方へ突出された部分が摘子部９ａとして設けられている。
【００３３】
フランジ部１０は、その略下半部が装着ベース２から下方へ突出され、外周面の下端部が下方へ行くに従って内側へ変位する傾斜面１０ａとして形成されている。
【００３４】
フランジ部１０には、マグネット１１が埋設状に取り付けられ、例えば、マグネット１１の下面がフランジ部１０の下面と同一平面上に位置されている。
【００３５】
クリーナー取付部３の保持部８の下面にはクリーナー１２が取り付けられている。クリーナー１２は、例えば、布製又は紙製の塵埃の拭き取りに適した材料によって形成されている。
【００３６】
以上のように構成されたディスククリーニング装置１はディスクカートリッジ１００のロアーシェル１０３側に装着される（図９参照）。
【００３７】
ディスククリーニング装置１がディスクカートリッジ１００に装着されるときには、装着ベース２の挿入部６の被案内面部６ａ、クリーナー取付部３の保持部８の被ガイド面部８ａ、８ａ及び回転軸４のフランジ部１０の傾斜面１０ａが、それぞれディスクカートリッジ１００のテーブル挿入孔１０１ｅの開口縁、光透過孔１０１ｆの開口縁及びコア２０１のフランジ面部２０１ｂの内周縁にそれぞれ案内され、挿入部６がテーブル挿入孔１０１ｅに挿入され、保持部８とクリーナー１２が光透過孔１０１ｆに挿入され、フランジ部１０の下端部とマグネット１１の下端部がコア２０１の内部に挿入される。
【００３８】
ディスククリーニング装置１がディスクカートリッジ１００に装着された状態においては、装着ベース２のベース部５の基準面５ａとクリーナー取付部３の接触部７の接触面部７ａがロアーシェル１０３の外面に接する。
【００３９】
また、ディスククリーニング装置１がディスクカートリッジ１００に装着された状態においては、マグネット１１によってコア２０１が吸着されフランジ部１０の下面とマグネット１１の下面とがコア２０１の被吸着面２０１ａに接し、クリーナー１２がディスク状記録媒体２００に適度な力で押し付けられる。このときマグネット１１によってコア２０１が吸着されることにより、ディスク状記録媒体２００はアッパーシェル１０２に対して持ち上げられ、ディスク状記録媒体２００はケース体１０１の何れの部分とも接触しない状態で保持される。
【００４０】
上記のようにディスククリーニング装置１がディスクカートリッジ１００に装着された状態において、摘子部９ａを把持して回転軸４を回転させると、該回転軸４の回転に伴ってディスク状記録媒体２００がケース体１０１の何れの部分とも接触しない状態で回転され、クリーナー１２によってディスク状記録媒体２００に付着されている塵埃が拭き取られる。
【００４１】
以上に記載した通り、ディスククリーニング装置１にあっては、マグネット１１によってコア２０１が吸着された状態においてディスク状記録媒体２００がケース体１０１に接触しない位置に保持されるため、クリーニング作業時におけるディスク状記録媒体２００の傷付きを防止することができる。
【００４２】
また、ディスククリーニング装置１をディスクカートリッジ１００に装着し回転軸４を回転させるだけでディスク状記録媒体２００のクリーニング作業を行うことができるため、クリーニング作業の容易化を図ることができる。
【００４３】
さらに、ディスククリーニング装置１にあっては、上記のように、装着ベース２の挿入部６の外径をディスクカートリッジ１００のテーブル挿入孔１０１ｅの径より僅かに小さく形成しているため、挿入部６がテーブル挿入孔１０１ｅに挿入されることによりディスククリーニング装置１のディスクカートリッジ１００に対するディスク状記録媒体２００の半径方向における位置決めを容易に行うことができる。
【００４４】
加えて、ディスククリーニング装置１にあっては、上記のように、クリーナー取付部３の保持部８の接触面部７ａ、７ａを結ぶ方向における幅を、ディスクカートリッジ１００の光透過孔１０１ｆの対応する方向における幅より僅かに小さくしているため、保持部８が光透過孔１０１ｆに挿入されることによりディスククリーニング装置１の光透過孔１０１ｆに対する位置決めを容易に行うことができ、クリーナー１２をディスク状記録媒体２００に容易に接触させることができる。
【００４５】
尚、上記には、ディスククリーニング装置１が装着されるディスクカートリッジの例として、光透過孔１０１ｆが常時開放されたディスクカートリッジ１００について説明したが、ディスククリーニング装置１によってクリーニング作業を行うことができるディスクカートリッジは光透過孔１０１ｆが常時開放されたものに限られることはなく、ケース体にシャッターがスライド自在に支持され光透過孔がシャッターによって開閉されるタイプのディスクカートリッジに対してもディスククリーニング装置１を使用することができる。この場合には、シャッターをスライドさせて光透過孔を開放した状態でディスククリーニング装置１を装着する必要がある。
【００４６】
また、上記には、回転軸４の下端部にマグネット１２を設けた例を説明したが、例えば、回転軸４を、着磁された材料で形成されるようにしてもよい。この場合にはマグネット１１が必要とならないため、部品点数の削減を図ることができる。
【００４７】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００４８】
【図１】図２乃至図９と共に本発明を実施するための最良の形態を示すものであり、本図はディスクカートリッジの拡大平面図である。
【図２】ディスクカートリッジの拡大斜視図である。
【図３】ディスクカートリッジの背面側を示す拡大斜視図である。
【図４】ディスクカートリッジとディスククリーニング装置を示す拡大斜視図である。
【図５】ディスクカートリッジとディスククリーニング装置を示す拡大断面図である。
【図６】ディスクカートリッジを断面にしてディスククリーニング装置とともに示す拡大側面図である。
【図７】ディスクカートリッジとディスククリーニング装置の寸法関係を図４に示すＶＩＩ−ＶＩＩ線に沿う断面で示す拡大図である。
【図８】ディスクカートリッジとディスククリーニング装置の寸法関係を図４に示すＶＩＩＩ−ＶＩＩＩ線に沿う断面で示す拡大図である。
【図９】ディスククリーニング装置がディスクカートリッジに装着された状態を示す拡大断面図である。
【符号の説明】
【００４９】
１…ディスククリーニング装置、２…装着ベース、３…クリーナー取付部、４…回転軸、５…ベース部、６…挿入部、７…接触部、８…保持部、１１…マグネット、１２…クリーナー、１００…ディスクカートリッジ、１０１…ケース体、１０１ｅ…テーブル挿入孔、１０１ｆ…光透過孔、２００…ディスク状記録媒体、２０１…コア
【図１】
2006172674.tif 000003
【図２】
2006172674.tif 000004
【図３】
2006172674.tif 000005
【図４】
2006172674.tif 000006
【図５】
2006172674.tif 000007
【図６】
2006172674.tif 000008
【図７】
2006172674.tif 000009
【図８】
2006172674.tif 000010
【図９】
2006172674.tif 000011